(57)【要約】【課題】  本発明は、ブラシ毛素材にマイナスイオンを発生する砥粒を混入または付着させることにより、消臭、殺菌、あるいは人体に良い影響を与えるブラシ毛素材および研磨ブラシに関するものである。【解決手段】  本発明のブラシ毛素材は、合成樹脂部材または金属部材からなるブラシ毛の中にマイナスイオンを発生する鉱物と、研磨砥粒、金属砥粒、ダイヤモンド砥粒の少なくとも１種類とが混入されている。前記ブラシ毛素材または前記ブラシ毛によって作製された研磨用ブラシは、砥粒の大きさおよび混入量を変えることで、使用目的に適ったものが任意に得られるだけでなく、マイナスイオンを発生する鉱物等が入っているため、消臭または殺菌効果があるだけでなく、人体の健康によい影響を与えることができる。【選択図】  図１
2005199362.tif 000002
【特許請求の範囲】
【請求項１】
合成樹脂部材からなるブラシ毛の中にマイナスイオンを発生する鉱物の砥粒と、研磨砥粒、ダイヤモンド砥粒、金属砥粒、備長炭の中の少なくとも１種類とが混入されていることを特徴とするブラシ毛素材。
【請求項２】
合成樹脂部材からなるブラシ毛の周囲にマイナスイオンを発生する鉱物の砥粒と、研磨砥粒、ダイヤモンド砥粒、金属砥粒、備長炭の中の少なくとも１種類とが混入されている部材をコーティング、溶着、あるいは無電解メッキ処理が行われていることを特徴とするブラシ毛素材。
【請求項３】
金属部材からなるブラシ毛の中にマイナスイオンを発生する鉱物の砥粒と、研磨砥粒、ダイヤモンド砥粒、金属砥粒、備長炭の中の少なくとも１種類とが混入されていることを特徴とするブラシ毛素材。
【請求項４】
金属部材からなるブラシ毛の周囲にマイナスイオンを発生する鉱物の砥粒と、研磨砥粒、ダイヤモンド砥粒、金属砥粒、備長炭の中の少なくとも１種類とが混入されている部材をコーティング、溶着、あるいはメッキ処理が行われていることを特徴とするブラシ毛素材。
【請求項５】
合成樹脂ブラシおよび金属ブラシ毛の中または周囲にマイナスイオンを発生する鉱物の砥粒と、研磨砥粒、ダイヤモンド砥粒、金属砥粒、備長炭の中の少なくとも１種類とが混入されていることを特徴とするブラシ毛素材。
【請求項６】
動物繊維または植物繊維からなるブラシ毛の周囲にマイナスイオンを発生する鉱物の砥粒と、研磨砥粒、ダイヤモンド砥粒、金属砥粒、備長炭の中の少なくとも１種類とが混入されている部材をコーティングまたは溶着されていることを特徴とするブラシ毛素材。
【請求項７】
前記ブラシ毛は、その１部にマイナスイオンを発生する鉱物の砥粒と、研磨砥粒、ダイヤモンド砥粒、金属砥粒、備長炭の中の少なくとも１種類とが混入されている部材を混入させ、コーティング、溶着、あるいはメッキ処理が行われていることを特徴とする請求項１ないし請求項６のいずれか１項に記載されたブラシ毛素材。
【請求項８】
前記ブラシ毛の先端部には、球状、テーパー状、先割れ状、三角形状、四角形状、六角形状、八角形状、楕円形状の１つが成形されていることを特徴とする請求項１ないし請求項７のいずれか１項に記載されたブラシ毛素材。
【請求項９】
前記ブラシ毛の断面は、円形状、楕円形状、十字状、クローバ状、三角形状、四角形状、六角形状、八角形状、多角形状の１つからなることを特徴とする請求項１ないし請求項８のいずれか１項に記載されたブラシ毛素材。
【請求項１０】
前記ブラシ毛素材は、同種または異種の少なくとも２種類が編まれていることを特徴とする請求項１ないし請求項９のいずれか１項に記載されたブラシ毛素材。
【請求項１１】
前記ブラシ毛素材は、同種または異種の少なくとも２本が編まれてできた部材を前記ブラシ毛にコーティングしていることを特徴とする請求項１ないし請求項１０のいずれか１項に記載されたブラシ毛素材。
【請求項１２】
前記ブラシ毛素材は、前記合成樹脂部材からなるブラシ毛、前記金属部材からなるブラシ毛、動物繊維または植物繊維からなるブラシ毛の少なくとも１種類が混毛されていることを特徴とする請求項１ないし請求項１１のいずれか１項に記載されたブラシ毛素材。
【請求項１３】
前記ブラシ毛素材は、前記合成樹脂部材からなるブラシ毛、前記金属部材からなるブラシ毛、動物繊維または植物繊維からなるブラシ毛の少なくとも１種類に、砥粒が混入されていないブラシ毛を混毛させたことを特徴とする請求項１ないし請求項１２のいずれか１項に記載されたブラシ毛素材。
【請求項１４】
請求項１ないし請求項１３のいずれか１項に記載されたブラシ毛は、チャネル型、植え込み型、ロール型、コイル型、カップ型、ねじり型、筒型、傘型、ホイール型、ディスク型に植設されていることを特徴とする研磨ブラシ。
【発明の詳細な説明】
【技術分野】
【０００１】
本発明は、完成品または半製品に対する研磨またはバリ取りを行うのに都合の良いブラシ毛素材または、前記ブラシ毛素材を基にした研磨ブラシに関するものである。本発明は、特に、ブラシ毛素材にマイナスイオンを発生する砥粒を混入または付着させることにより、消臭、殺菌、あるいは人体に良い影響を与えるブラシ毛素材および前記ブラシ毛素材を用いた研磨ブラシに関するものである。
【背景技術】
【０００２】
従来のブラシは、たとえば、２本の芯線または４本の芯線にブラシ毛素材を挟み込んだ後、ブラシ毛の部分をねじることにより作製されるねじりブラシがある。また、前記ねじりブラシの例は、たわし、歯間ブラシ、マスカラブラシ等がある。また、従来のブラシ毛素材には、消臭、殺菌、人体に対する影響を考慮したものがなかった。
【０００３】
たとえば、特開２００３−１８１７６９号公報に記載されている研磨材は、合成樹脂部材のブラシ素材に、ダイヤモンド砥粒、研磨砥粒、金属砥粒等の１種類または２種類以上が混入されている。特開２００３−１２７０６７号公報に記載されている研磨処理具は、研磨素材が繊維、皮、ゴム、合成樹脂、または金属であり、その表面にダイヤモンド砥粒、金属砥粒、研磨砥粒、ガラス砥粒の１種類または２種類以上が形成されている。
【０００４】
【特許文献１】特開２００３−１８１７６９号公報
【特許文献２】特開２００３−１２７０６７号公報
【発明の開示】
【発明が解決しようとする課題】
【０００５】
前記従来の研磨ブラシは、研削または研磨、あるいはバリ取り等の作業性のみを考慮して、研削または研磨等の作業環境や作業者の健康を考えて作製されたものが無かった。
【０００６】
以上のような課題を解決するために、本発明は、ブラシ素材に研磨用砥粒以外にマイナスイオンを発生する希土類、鉱物、備長炭等の砥粒を混入することにより、今までに無い研削または研磨等の作業環境や作業者の健康を考慮したブラシ毛素材および研磨ブラシを提供することを目的とする。
【０００７】
本発明は、消臭および殺菌効果、あるいは人体に対する影響を考慮したブラシ毛素材および研磨ブラシを提供することを目的とする。
【課題を解決するための手段】
【０００８】
（第１発明）
第１発明のブラシ毛素材は、合成樹脂部材からなるブラシ毛の中にマイナスイオンを発生する鉱物の砥粒と、研磨砥粒、ダイヤモンド砥粒、金属砥粒、備長炭の中の少なくとも１種類とが混入されていることを特徴とする。
【０００９】
（第２発明）
第２発明のブラシ毛素材は、合成樹脂部材からなるブラシ毛の周囲にマイナスイオンを発生する鉱物の砥粒と、研磨砥粒、ダイヤモンド砥粒、金属砥粒、備長炭の中の少なくとも１種類とが混入されている部材をコーティング、溶着、あるいは無電解メッキ処理が行われていることを特徴とする。
【００１０】
（第３発明）
第３発明のブラシ毛素材は、金属部材からなるブラシ毛の中にマイナスイオンを発生する鉱物の砥粒と、研磨砥粒、ダイヤモンド砥粒、金属砥粒、備長炭の中の少なくとも１種類とが混入されていることを特徴とする。
【００１１】
（第４発明）
第４発明のブラシ毛素材は、金属部材からなるブラシ毛の周囲にマイナスイオンを発生する鉱物の砥粒と、研磨砥粒、ダイヤモンド砥粒、金属砥粒、備長炭の中の少なくとも１種類とが混入されている部材をコーティング、溶着、あるいはメッキ処理が行われていることを特徴とする。
【００１２】
（第５発明）
第５発明のブラシ毛素材は、合成樹脂ブラシおよび金属ブラシ毛の中または周囲にマイナスイオンを発生する鉱物の砥粒と、研磨砥粒、ダイヤモンド砥粒、金属砥粒、備長炭の中の少なくとも１種類とが混入されていることを特徴とする。
【００１３】
（第６発明）
第６発明のブラシ毛素材は、動物繊維または植物繊維からなるブラシ毛の周囲にマイナスイオンを発生する鉱物の砥粒と、研磨砥粒、ダイヤモンド砥粒、金属砥粒、備長炭の中の少なくとも１種類とが混入されている部材をコーティングまたは溶着されていることを特徴とする。
【００１４】
（第７発明）
第７発明のブラシ毛素材において、ブラシ毛は、その１部にマイナスイオンを発生する鉱物の砥粒と、研磨砥粒、ダイヤモンド砥粒、金属砥粒、備長炭の中の少なくとも１種類とが混入されている部材を混入させ、コーティング、溶着、あるいはメッキ処理が行われていることを特徴とする。
【００１５】
（第８発明）
第８発明のブラシ毛素材において、ブラシ毛の先端部には、球状、テーパー状、先割れ状、三角形状、四角形状、六角形状、八角形状、楕円形状の１つが成形されていることを特徴とする。
【００１６】
（第９発明）
第９発明のブラシ毛素材において、ブラシ毛の断面は、円形状、楕円形状、十字状、クローバ状、三角形状、四角形状、六角形状、八角形状、多角形状の１つからなることを特徴とする。
【００１７】
（第１０発明）
第１０発明のブラシ毛素材において、ブラシ毛素材は、同種または異種の少なくとも２種類が編まれていることを特徴とする。
【００１８】
（第１１発明）
第１１発明のブラシ毛素材において、ブラシ毛素材は、同種または異種の少なくとも２本が編まれてできた部材を前記ブラシ毛にコーティングしていることを特徴とする。
【００１９】
（第１２発明）
第１２発明のブラシ毛素材において、ブラシ毛素材は、前記合成樹脂部材からなるブラシ毛、前記金属部材からなるブラシ毛、動物繊維または植物繊維からなるブラシ毛の少なくとも１種類が混毛されていることを特徴とする。
【００２０】
（第１３発明）
第１３発明のブラシ毛素材において、ブラシ毛素材は、前記合成樹脂部材からなるブラシ毛、前記金属部材からなるブラシ毛、動物繊維または植物繊維からなるブラシ毛の少なくとも１種類に、砥粒か混入されていないブラシ毛を混毛させたことを特徴とする。
【００２１】
（第１４発明）
第１４発明の研磨ブラシにおいて、第１発明ないし第１３発明に記載されたブラシ毛は、チャネル型、植え込み型、ロール型、コイル型、カップ型、ねじり型、筒型、傘型、ホイール型、ディスク型に植設されていることを特徴とする。
【発明の効果】
【００２２】
本発明によれば、ブラシ毛素材にマイナスイオンを発生する希土類、鉱石、フェライト、麦飯石等の砥粒が他の研磨砥粒とともに混入されることにより、研削または研磨等の作業環境や作業者の健康を考慮したブラシ毛素材または研磨ブラシである。
【００２３】
本発明によれば、ブラシ毛素材の全部または１部の周りにマイナスイオンを発生する希土類、鉱石、フェライト、麦飯石等の砥粒が他の研磨砥粒とともに混入されることにより、研削または研磨等の作業環境や作業者の健康を考慮するだけでなく、消臭および／または殺菌効果、あるいは人体に対して良い影響を与えるブラシ毛素材または研磨ブラシである。
【発明を実施するための最良の形態】
【００２４】
（第１発明）
第１発明のブラシ毛素材は、合成樹脂部材からなるブラシ毛の中にマイナスイオンを発生する鉱物、たとえば、サマリウム、ネオジウム、アルニコ、フェライト、トルマリン、麦飯石の砥粒と、研磨砥粒、ダイヤモンド砥粒、金属砥粒、備長炭の中の少なくとも１種類とが混入されている。
【００２５】
前記合成樹脂部材は、たとえば、ポリアミド系合成高分子化合物、ポリエステル、ポリイミド、ポリモンド、ポリプロピレン、ポリスチン、ポリカーボネート、コーネクス、カーボンナノ繊維、ポリ塩化ビニル、ポリブチレン、ポリアート、ポリビニルグチラール、ボロンポリマー、コーネックス、ピーク、形状記憶樹脂素材、たとえば、ニッケルチタン系合金、導伝性樹脂素材（樹脂材と金属繊維を一緒にしたもの）、自己修復樹脂素材（たとえば、ポリフェニレン・エーテル）、バイオ樹脂素材（たとえば、動植物繊維）、再生樹脂素材等である。
【００２６】
前記研磨砥粒は、たとえば、シリコンカーバイト、アルミナ、セラミックス、ジルコニア、ボロンカーバイト、酸化セリウム、硬質ガラス、水晶等である。また、前記金属砥粒は、金、銀、銅、燐青銅、鉄、ステンレス、ピアノ線、チタン、ニッケル、アルミニウム合金、マグネシウム、カーボンナノワイヤー、キュービックボロンナイトライト、シリコンカーバイト、ジルコニア、酸化クロム等の砥粒である。さらに、ダイヤモンドは、天然および人工のものを含む。天然石またはセラミックスは、ガーネット、エメリー、硬質ガラス等の砥粒である。
【００２７】
前記ブラシ毛となる合成樹脂部材には、前記マイナスイオンを発生する鉱物を含む砥粒が少なくとも１種類で、その混入量が１％ないし８０％、好ましくは、５％ないし３０％である。前記合成樹脂部材への砥粒の混入量の比率は、１％より少ないと研磨用ブラシとならず、８０％以上であると、ブラシ毛として成形できなかったり、あるいは使用に耐えられない。
【００２８】
前記合成樹脂部材は、各種砥粒を接着する役目を果たすため、ブラシ毛の太さや長さによっても、砥粒の混入量が決められる。
【００２９】
前記ブラシ毛素材または前記ブラシ毛によって作製された研磨用ブラシは、砥粒の大きさおよび混入量を変えることで、使用目的に適ったものが任意に得られるだけでなく、マイナスイオンを発生する鉱物等が入っているため、消臭または殺菌効果があるだけでなく、人体の健康によい影響を与えることができる。
【００３０】
（第２発明）
第２発明のブラシ毛素材は、合成樹脂部材からなるブラシ毛の周囲に砥粒からなる部材がコーティング、溶着、あるいは無電解メッキ処理されている。すなわち、前記ブラシ毛素材の周囲には、マイナスイオンを発生する鉱物の砥粒と、研磨砥粒、ダイヤモンド砥粒、金属砥粒、備長炭の中の少なくとも１種類が混入されている部材がコーティング、溶着、あるいは無電解メッキ処理されて覆われている。
【００３１】
（第３発明）
第３発明のブラシ毛素材は、ブラシ毛が金属部材からなる点で、合成樹脂部材からなる第１発明と異なっており、砥粒に関しては同じものである。前記金属部材の周囲には、前記砥粒を公知の接着剤等によって接着させる。
【００３２】
（第４発明）
第４発明のブラシ毛素材は、ブラシ毛が金属部材からなる点で、合成樹脂部材からなる第２発明と異なっており、砥粒の種類、およびコーティング、溶着に関しては同じである。また、第４発明は、ブラシ毛が金属であるため、第２発明の無電解メッキの代わりにメッキ処理が行われる。
【００３３】
（第５発明）
第５発明のブラシ毛素材は、合成樹脂ブラシおよび金属ブラシ毛を混毛させ、それぞれの中または周囲にマイナスイオンを発生する鉱物の砥粒と、研磨砥粒、ダイヤモンド砥粒、金属砥粒、備長炭の中の少なくとも１種類とが混入されている。第５発明は、合成樹脂ブラシの良さと、金属ブラシの良さを出すことができるとともに、前記各ブラシの量を変えることにより硬さや柔らかさを調節することができる。
【００３４】
（第６発明）
第６発明は、ブラシ毛が動物繊維または植物繊維からなる点で、第１発明ないし第４発明の合成樹脂部材あるいは金属部材と異なっている。前記動物繊維または植物繊維からなるブラシ毛の周囲にマイナスイオンを発生する鉱物の砥粒と、研磨砥粒、ダイヤモンド砥粒、金属砥粒、備長炭の中の少なくとも１種類が混入されている部材がコーティングまたは溶着されている。前記溶着は、ダイヤモンド等が炭化しない程度の温度で行われる。
【００３５】
（第７発明）
第７発明において、前記合成樹脂部材、金属部材、動物繊維または植物繊維からなるブラシ毛は、その１部にマイナスイオンを発生する鉱物の砥粒と、研磨砥粒、ダイヤモンド砥粒、金属砥粒、備長炭の中の少なくとも１種類が混入されている部材を混入させ、コーティング、溶着、あるいはメッキ処理が行われている。すなわち  、第７発明は、ブラシ毛の１部にのみ前記砥粒混入または被覆している点で、第１発明ないし第６発明と異なっている。
【００３６】
（第８発明）
第８発明のブラシ毛素材は、ブラシ毛の先端部に球状、テーパー状、先割れ状、三角形状、四角形状、六角形状、八角形状、楕円形状の１つが成形されている。前記ブラシ毛の先端部は、研磨がし易いような形状に成形されている。
【００３７】
（第９発明）
第９発明のブラシ毛素材の径部分の断面は、円形状、楕円形状、十字状、クローバ状、三角形状、四角形状、六角形状、八角形状、多角形状の１つからなっている。前記形状は、研磨の使用目的によって、任意のものが選択される。
【００３８】
（第１０発明）
第１０発明のブラシ毛素材は、同種または異種のブラシ毛素材が１種類または複数種類が網状、螺旋状、またはその他の任意の形状に編まれている。
【００３９】
（第１１発明）
第１１発明のブラシ毛素材は、同種または異種の少なくとも２本により、たとえば、網状に編まれてできた部材が各種性質のブラシ毛にコーティングされる。
【００４０】
（第１２発明）
第１２発明のブラシ毛素材は、合成樹脂部材からなるブラシ毛、金属部材からなるブラシ毛、動物繊維または植物繊維からなるブラシ毛の少なくとも１種類を混毛させている。前記混毛されたブラシ毛素材は、それぞれの素材の性質の良さを発揮することができる。
【００４１】
（第１３発明）
第１３発明のブラシ毛素材は、合成樹脂部材からなるブラシ毛、金属部材からなるブラシ毛、動物繊維または植物繊維からなるブラシ毛の少なくとも１種類に、砥粒が混入されていないブラシ毛が混毛されている。前記砥粒が混入されていないブラシ毛が混毛されたブラシ毛素材は、第１１発明のブラシ毛素材より、柔らかさを強調させたいものに使用される。
【００４２】
（第１４発明）
第１４発明は、第１発明ないし第１３発明のブラシ毛素材を組み合わせた研磨ブラシであり、その形状をチャネル型、植え込み型、ロール型、コイル型、カップ型、ねじり型、筒型、傘型、ホイール型、ディスク型等、工具として使用する際に便利なように任意の形状にすることができる。
【実施例１】
【００４３】
図１（イ）ないし（ハ）は本発明の第一実施例で、合成樹脂部材からなるブラシ毛素材の中にマイナスイオンを発生する砥粒と、その他の研磨砥粒等が混入されている状態を説明するための図である。図１（イ）において、合成樹脂部材からなるブラシ毛素材１１には、マイナスイオンを発生する、たとえば、サマリウム、ネオジウム、アルニコ、フェライト、トルマリン、麦飯石の砥粒１２が混入されている。
【００４４】
図１（ロ）において、合成樹脂部材からなるブラシ毛素材１１には、マイナスイオンを発生する砥粒１２と、少なくとも１種類の研磨砥粒１３および／またはダイヤモンド砥粒１４とが混入されている。また、図１（ハ）において、合成樹脂部材からなるブラシ毛素材１１には、マイナスイオンを発生する砥粒１２と、研磨砥粒１３、ダイヤモンド砥粒１４、金属砥粒１５の内の１種または複数種とが混入されている。
【００４５】
前記マイナスイオンを発生する砥粒１２の基になる物質は、たとえば、サマリウム、ネオジウム、アルニコ、フェライト、トルマリン、麦飯石等がある。
【００４６】
また、前記ブラシ毛素材１１には、前記マイナスイオンを発生する砥粒１２以外に、たとえば、シリコンカーバイト、アルミナ、セラミックス、ジルコニア、ボロンカーバイト、酸化セリウム、硬質ガラス、水晶等の研磨部材、金、銀、銅、燐青銅、鉄、ステンレス、ピアノ線、チタン、ニッケル、アルミニウム合金、マグネシウム、カーボンナノワイヤー、キュービックボロンナイトライト、シリコンカーバイト、ジルコニア、酸化クロム等の金属砥粒、さらに、天然または人工のダイヤモンド砥粒、天然石またはセラミックス、ガーネット、エメリー、硬質ガラス等の砥粒の１種または複数種が混入される。
【００４７】
また、前記合成樹脂部材には、たとえば、ポリアミド系合成高分子化合物、ポリエステル、ポリイミド、ポリモンド、ポリプロピレン、ポリスチン、ポリカーボネート、コーネクス、カーボンナノ繊維、ポリ塩化ビニル、ポリブチレン、ポリアート、ポリビニルグチラール、ボロンポリマー、コーネックス、ピーク、形状記憶樹脂素材、導伝性樹脂素材、自己修復樹脂素材、バイオ樹脂素材、再生樹脂素材等がある。前記ブラシ毛は、砥粒を初め各種素材を混入した後、たとえば、射出成形機によってブラシ状に成形する。
【実施例２】
【００４８】
図２（イ）ないし（ハ）は本発明の第一実施例で、金属ブラシ毛素材の中にマイナスイオンを発生する砥粒と、その他の研磨砥粒等が混入されている状態を説明するための図である。図２（イ）において、金属製ブラシ毛素材２１の中には、マイナスイオンを発生する希土類等が砥粒１２となって混入されている。また、前記金属製ブラシ毛素材２１の中には、たとえば、研磨砥粒１３の少なくとも１種類が混入されている。
【００４９】
図２（ロ）において、金属製ブラシ毛素材２１の周囲には、マイナスイオンを発生する砥粒１２、研磨砥粒１３、およびダイヤモンド砥粒１４の少なくとも１種類を混入した部材がコーティング、溶着、熱処理等により被覆されている。前記金属ブラシ毛素材２１と砥粒（１２ないし１４）との混入は、たとえば、前記砥粒を金属粘土に混ぜ、熱処理加工により行われる。
【００５０】
図２（ハ）において、金属製ブラシ毛素材２１の周囲の１部には、マイナスイオンを発生する砥粒１２と、研磨砥粒１３および／またはダイヤモンド砥粒１４の少なくとも１種類とを混入した部材がコーティング、溶着、メッキ処理、熱処理等により被覆されている。前記金属製ブラシ毛素材２１の１部に対する被覆は、図２（ハ）に示された場所以外に、研磨用具として使用し易い場所に付着される。
【実施例３】
【００５１】
図３（イ）ないし（ハ）は本発明の第三実施例で、合成樹脂部材と金属部材とを混ぜ合わせた樹脂金属ブラシ毛素材の中の１部または全部にマイナスイオンを発生する部材の砥粒、および研磨砥粒等を混入させた例を説明するための図である。図３（イ）において、合成樹脂部材と金属部材とを混ぜ合わせた樹脂金属ブラシ毛素材３１には、１部にマイナスイオンを発生する砥粒１２、および研磨砥粒１３の少なくとも１種類が混入されている。
【００５２】
図３（ロ）において、前記樹脂金属ブラシ毛素材３２には、マイナスイオンを発生する砥粒１２と、研磨砥粒１３、ダイヤモンド砥粒１４、金属砥粒１５の少なくとも１種類とがブロック状に混入されている。図３（ハ）において、金属ブラシ毛素材３３の中または周囲には、マイナスイオンを発生する砥粒１２と、研磨砥粒１３、ダイヤモンド砥粒１４等の１種類または複数種類とが混入されている。
【００５３】
また、マイナスイオンを発生する砥粒１２と、研磨砥粒１３、ダイヤモンド砥粒１４等の１種類または複数種類とが混入されパイプ状の中に前記樹脂金属ブラシ毛素材３３を通すこともできる。
【実施例４】
【００５４】
図４（イ）ないし（ヘ）は本発明の第四実施例で、ブラシ毛素材の先端部の形状に係る発明である。図４（イ）において、ブラシ毛素材４１は、その先端部４１１が球状に成形されており、前記先端部４１１にマイナスイオンを発生する部材からなる砥粒と、研磨砥粒、ダイヤモンド砥粒等の少なく１種類とが混入されている。図４（ロ）において、前記ブラシ毛素材４１は、その先端部４１１と後端部４１２とに前記球状部が成形されている。また、前記球状部は、球形の代わりにその他の多角形とすることもできる。
【００５５】
図４（ハ）において、ブラシ毛素材４２は、マイナスイオンを発生する部材からなる砥粒と、研磨砥粒、ダイヤモンド砥粒等の少なく１種類とが混入されているとともに、先端部４２１がテーパー形状をしている。また、図４（ニ）において、ブラシ毛素材４２の形状は、先端部４２１と後端部４２２とがテーパー形状になっている。
【００５６】
図４（ホ）において、ブラシ毛素材４３は、マイナスイオンを発生する部材からなる砥粒と、研磨砥粒、ダイヤモンド砥粒等の少なく１種類とが混入されているとともに、先端部４３１に割れ目が成形されている。図４（ヘ）において、ブラシ毛素材４３は、前記と同じ素材からなるとともに、先端部４３１および後端部４３２に割れ目が成形されている。図４に示された例は、研削または研磨を行う場所の形状に合わせるように変形することができる。
【実施例５】
【００５７】
図５は本発明の第五実施例であり、樹脂ブラシ毛素材、金属ブラシ毛素材、または樹脂金属ブラシ毛素材の断面形状を説明するための図である。図５において、ブラシ毛素材は、断面が円形、三角形、方形、多角形、楕円形、十字形、あるいはこれらに類似した形状からなる。
【実施例６】
【００５８】
図６（イ）ないし（ホ）は本発明の第六実施例であり、ブラシ毛素材を２本以上で編んだ例を説明するための図である。図６（イ）において、少なくとも２本のブラシ毛素材６１が編み込まれ、または組み込まれている。前記ブラシ毛素材６１は、第一実施例ないし第五実施例の物と同じである。また、前記ブラシ毛素材６１の編み方および本数は、異なるものであり、これらに、特に、限定されるものではない。
【００５９】
図６（ロ）において、芯材６２の周囲は、編み込まれたブラシ毛素材６２１によって覆われている。図６（ハ）において、複数の芯材６３の周囲は、ブラシ毛素材６３１によって巻き付けられている。図６（ニ）において、編み込まれたブラシ毛素材６４は、その周囲に被覆６４１が施されている。
【００６０】
図６（ホ）において、複数の芯材６５には、ブラシ毛素材６５１によって束ねられている。図に示されたブラシ毛素材は、さらに、組み込まれて研磨用ブラシになる。
【実施例７】
【００６１】
図７（イ）ないし（ヌ）は本発明の第七実施例であり、ブラシ毛素材を並べまたは束ねた研磨用ブラシを説明するための図である。図７（イ）において、複数本からなるブラシ毛素材７１は、所定の幅で直線状に並べられ、これらの根本部分を取り付け部材７１１によって、挟持するように取り付けられている。
【００６２】
図７（ロ）において、複数本からなるブラシ毛素材７１は、放射状になるように円盤取り付け部材７１２に取り付けられている。図７（ハ）において、複数本からなるブラシ毛素材７１は、木製または合成樹脂製からなる取り付け部７１３材に植設させれている。
【００６３】
図７（ニ）において、複数本からなるブラシ毛素材７１は、円盤状取付部材の周囲に放射状に取り付けられている。図７（ホ）において、前記放射状に取り付けられた円盤状ブラシ毛素材７２が軸７２１に取り付けられて、円筒型に形成されている。
【００６４】
図７（ヘ）において、円筒状に成形された研磨用ブラシ毛素材７３が示されている。図７（ト）において、ブラシ毛素材は、複数本が撚られて編み部７４が形成され、前記編み部７４の先端部を巻回することによって形成された巻回部７４１となっている。前記巻回部７４１は、円筒状部材の内部を研磨するのに都合が良い。
【００６５】
図７（チ）において、多数のブラシ毛素材７５は、円盤取り付け部材７５１上に植設されているとともに、前記円盤取り付け部材７５１に軸７５２が設けられている。図７（リ）において、多数のブラシ毛素材７６は、その根本の部分で取り付け部材７６１に束ねられている。前記取り付け部材７６１の１端には、軸７６２が設けられている。
【００６６】
図７（ヌ）において、ブラシ毛素材７７は、ほぼ球形に形成されて、取り付け部材７７１に取り付けられている。前記取り付け部材７７１の一端には、軸７７２が設けられている。図７（チ）ないし（ヌ）に示された研磨用ブラシは、軸７５２、７６２、７７２に回転駆動部（図示されていない）と連結することにより、回転させて研磨等を行うことができる。
【産業上の利用可能性】
【００６７】
以上、本発明の実施例を詳述したが、本発明は、前記実施例に限定されるものではない。そして、本発明は、特許請求の範囲に記載された事項を逸脱することがなければ、種々の設計変更を行うことが可能である。本発明は、前記実施例において示されていない形状であっても、公知または周知の研磨用ブラシに適用できることはいうまでもないことである。また、本発明は、ブラシ、砥粒等の大きさ、形状、材質、および混入比率等を使用目的により任意に選択できることはいうまでもないことである。
【図面の簡単な説明】
【００６８】
【図１】（イ）ないし（ハ）は本発明の第一実施例で、合成樹脂部材からなるブラシ毛素材の中にマイナスイオンを発生する砥粒と、その他の研磨砥粒等が混入されている状態を説明するための図である。（実施例１）
【図２】（イ）ないし（ハ）は本発明の第一実施例で、金属ブラシ毛素材の中にマイナスイオンを発生する砥粒と、その他の研磨砥粒等が混入されている状態を説明するための図である。（実施例２）
【図３】（イ）ないし（ハ）は本発明の第三実施例で、合成樹脂部材と金属部材とを混ぜ合わせた樹脂金属ブラシ毛素材の中の１部または全部にマイナスイオンを発生する部材の砥粒、および研磨砥粒等を混入させた例を説明するための図である。（実施例３）
【図４】（イ）ないし（ヘ）は本発明の第四実施例で、ブラシ毛素材の先端部の形状に係る発明である。（実施例４）
【図５】本発明の第五実施例であり、樹脂ブラシ毛素材、金属ブラシ毛素材、または樹脂金属ブラシ毛素材の断面形状を説明するための図である。（実施例５）
【図６】（イ）ないし（ホ）は本発明の第六実施例であり、ブラシ毛素材を２本以上で編んだ例を説明するための図である。（実施例６）
【図７】（イ）ないし（ヌ）は本発明の第七実施例であり、ブラシ毛素材を並べまたは束ねた研磨用ブラシを説明するための図である。（実施例７）
【符号の説明】
【００６９】
１１・・・ブラシ毛素材
１２・・・マイナスイオンを発生する砥粒
１３・・・研磨砥粒
１４・・・ダイヤモンド砥粒
１５・・・金属砥粒
２１、３１、３２、３３・・・ブラシ毛素材
４１、４２、４３・・・ブラシ毛素材
４１１、４２１、４３１・・・先端部
４１２、４２２、４３２・・・後端部
６１、６２１、６３１、６４、６５１・・・ブラシ毛素材
６２、６３、６５・・・芯材
７１、７２、７３、７５、７６、７７・・・ブラシ毛素材
７１１、７１２、７１３、７５１、７６１、７７１・・・取り付け部材
７２１、７５２、７６２、７７２・・・軸
【図１】
2005199362.tif 000003
【図２】
2005199362.tif 000004
【図３】
2005199362.tif 000005
【図４】
2005199362.tif 000006
【図５】
2005199362.tif 000007
【図６】
2005199362.tif 000008
【図７】
2005199362.tif 000009